(57)【要約】【課題】、切り屑詰まりや応力集中による溝幅変化部でのドリル折損を抑制して再研削による刃先再生後も深穴加工を安定して行えるようにしたドリルを提供する。【解決手段】先端の切れ刃２からドリル径Ｄの１〜７倍の長さ範囲にある前部領域Ｉの溝幅比を０．５：１〜１．２：１に設定し、後部領域ＩＩＩ  の溝幅比は前部領域Ｉの溝幅比よりも大きくし、前部領域Ｉと後部領域ＩＩＩ  との間に設ける溝幅比変化部ＩＩの長さを３ｍｍ〜５Ｄと長くした。【選択図】  図１
2004167658.tif 000002
【特許請求の範囲】
【請求項１】
先端の切れ刃からドリル径Ｄの１〜７倍の長さ範囲にある前部領域の溝幅比が０．５：１〜１．２：１の範囲で一定に設定され、後部領域の溝幅比は前部領域の溝幅比よりも大に設定され、前部領域と後部領域との間に設ける溝幅比変化部の長さが３ｍｍ〜５Ｄの範囲にあるドリル。
【請求項２】
先端の切れ刃からドリル径Ｄの５倍以下の領域における芯厚が０．２Ｄ〜０．４Ｄの範囲で一定し、後部側の芯厚は０．１５Ｄ〜０．４Ｄの範囲にあって先端側の芯厚よりも薄く、先端側芯厚部の終端から後部側芯厚部の先端までの間で芯厚が後部側に向かって暫時小さくなっているドリル。
【請求項３】
請求項１の構成と請求項２の構成を併せ持つドリル。
【請求項４】
ねじれ溝の数を１〜３とした請求項１乃至３のいずれかに記載のドリル。
【発明の詳細な説明】
【０００１】
【発明の属する技術分野】
この発明は、深穴加工に用いるソリッドタイプのドリルに関する。
【０００２】
【従来の技術】
従来の深穴加工用ソリッドドリルは、ねじれ溝のリード角を刃部全体にわたって一定させているため、加工深さが増すにつれて切り屑がねじれ溝内を移動する距離が長くなり、切り屑排出に無理が生じる。特に、高靱性金属のように長く延び出し易い材質のワークに穴をあける場合には、折れずに延び出した切り屑がねじれ溝内に詰まり、加工が著しく困難になる。
【０００３】
かかる問題に対応した技術としては、下記特許文献１がある。
【０００４】
【特許文献１】
実開平５−６０７１５号公報
【０００５】
同文献のドリルは、先端側の溝幅比よりも後部側の溝幅比を大きくして後部側の溝幅を広げ、それによって切り屑排出性を向上させている。
【０００６】
【発明が解決しようとする課題】
本出願人が提案している特許文献１のドリルは、先端側と後部側との間の溝幅変化を短い長さ範囲で行っているため、溝幅変化部において切り屑の流れが変化し、切り屑詰まりや応力集中による溝幅変化部でのドリル折損が起こることがあった。
【０００７】
この発明は、この不具合を無くして深穴加工をより安定して行えるようにすることを課題としている。
【０００８】
【課題を解決するための手段】
上記の課題を解決するため、この発明においては、先端の切れ刃からドリル径Ｄの１〜７倍の長さ範囲にある前部領域の溝幅比が０．５：１〜１．２：１の範囲で一定に設定され、後部領域の溝幅比は前部領域の溝幅比よりも大に設定され、前部領域と後部領域との間に設ける溝幅比変化部の長さが３ｍｍ〜５Ｄの範囲にあるドリルと、
先端の切れ刃からドリル径Ｄの５倍以下の領域における芯厚が０．２Ｄ〜０．４Ｄの範囲で一定し、後部側の芯厚は０．１５Ｄ〜０．４Ｄの範囲にあって先端側の芯厚よりも薄く、先端側芯厚部の終端から後部側芯厚部の先端までの間で芯厚が後部側に向かって暫時小さくなっているドリルと、上記の２つの構成を併せ持つドリルを提供する。
【０００９】
いずれのドリルも、ねじれ溝の数は１〜３に限定するのがよい。
【００１０】
【作用】
後部領域の溝幅比を前部領域の溝幅比よりも大きくしたドリルは、先端の切れ刃部において溝幅いっぱいに切り出された切り屑と溝との干渉が途中から減少し、ねじれ溝による切り屑の流出規制が緩和されて溝幅一定のドリルに比べて切り屑排出性が良くなる。
【００１１】
また、このドリルは、溝幅変化部の長さを３ｍｍ以上、５Ｄ以下と長くしているので、切り屑が溝内をスムーズに流れ、溝幅変化部での切り屑詰まりや溝幅変化部に対する応力集中が少ない。
【００１２】
このほか、前部領域の長さを１Ｄ〜７Ｄと長くしているので、再研削による刃先再生後も切り屑形状を一定に保つことができ、切削性能が安定する。
【００１３】
後部側の芯厚を前部側の芯厚よりも薄くしたドリルも、溝の断面積が後部側で大きくなって切り屑が流れ易くなり、切り屑排出性が向上する。また、先端から５Ｄ以下の領域の芯厚が一定しており、再研削による刃先再生後も先端形状を一定させて切り屑形状を一定に保つことができ、切削性能が安定する。
【００１４】
上記２つの構成を併用したドリルは、相乗効果を期待でき、切り屑排出性がより良くなり、深穴加工をより安定して行える。
【００１５】
【発明の実施の形態】
この発明の実施形態を図１乃至図６に基づいて説明する。図１〜図３は第１実施例である。このドリル１は、２枚刃ドリルであり、２中心対称の切れ刃２と２条のねじれ溝３を有する。図１のＩは前部領域、ＩＩは溝幅変化部、ＩＩＩ  は後部領域を表す。前部領域Ｉは、溝幅比を０．５：１〜１．２：１の範囲で一定に設定してある。また、後部領域ＩＩＩ  の溝幅比は前部領域Ｉの溝幅比よりも大に設定され、溝幅変化部ＩＩにおいて溝幅比が後方に向かって大きくなって前部領域Ｉの溝幅比から後部領域ＩＩＩ  の溝幅比に変化している。
【００１６】
図２に前部領域Ｉの断面を、図３に後部領域ＩＩＩ  の断面をそれぞれ示す。後部領域ＩＩＩ  は、図３のハッチングを入れた部分の肉が減少してねじれ溝３の断面積が前部領域Ｉのそれよりも大きくなっている。なお、溝幅変化部ＩＩは、その長さを３ｍｍ〜ドリル径Ｄの５倍までとしてある。
【００１７】
図４〜図６は第２実施例である。このドリル１０も図１と同様の２枚刃ドリルである。図４のＡは前部領域、Ｂは芯厚変化部、Ｃは後部領域を表す。前部領域Ａの芯厚Ｗ（図５参照）をドリル径Ｄの２０〜４０％（０．２Ｄ〜０．４Ｄ）の範囲で一定に設定し、また、後部領域Ｃの芯厚Ｗ１（図６参照）をＷよりも薄くして０．１５Ｄ〜０．４Ｄに設定し、両者の間を芯厚が後方に向かってＷ〜Ｗ１に暫時変化する溝幅変化部Ｂでつないでいる。
【００１８】
この発明のドリルは、第１実施例の構成と第２実施例の構成を併せ持つものにするとより好ましい。また、この発明のドリルは深穴加工に用いるので、シャンクの後部から先端の逃げ面に至るねじれたオイルホールを備えさせるのも好ましい。
【００１９】
以下に、この発明のドリルの性能を確認するために行った実験結果を記す。
実験は表１に示すドリルを試作して行った。表１のＮｏ．２とＮｏ．６〜Ｎｏ．８がこの発明のドリル、その他は比較ドリルである。
【００２０】
この試作ドリルは、いずれもφ５．０×１３０×１８０の超硬ドリルである。その他の仕様を表１に、切り屑排出性、切削抵抗、切り屑、および強度の評価結果を表２にそれぞれ示す。切削抵抗はスラスト力で評価した。各ドリルのスラスト力の状況を図７に示す。
【００２１】
なお、テストは、非削材：Ｓ５０Ｃ（ＨＢ２３０）を以下の条件で加工した。
2004167658.tif 000003
【００２２】
【表１】
2004167658.tif 000004
【００２３】
【表２】
2004167658.tif 000005
【００２４】
【発明の効果】
以上述べたように、この発明のドリルは、後部領域の溝幅比を前部領域の溝幅比よりも大きくしているので、切り屑と溝との干渉が途中から減少し、ねじれ溝による切り屑の流出規制が緩和されて溝幅一定のドリルに比べて切り屑排出性が良くなる。
【００２５】
また、このドリルは、溝幅変化部の長さを３ｍｍ以上、５Ｄ以下と長くしているので、切り屑が溝内をスムーズに流れ、溝幅変化部での切り屑詰まりや溝幅変化部に対する応力集中が少ない。
【００２６】
さらに、前部領域の長さを１Ｄ〜７Ｄと長くしているので、再研削による刃先再生後も切り屑形状を一定に保つことができ、切削性能が安定する。
【００２７】
後部側の芯厚を前部側の芯厚よりも薄くしたドリルも、溝の断面積が後部側で大きくなって切り屑が流れ易くなり、切り屑排出性が向上する。また、先端から５Ｄ以下の領域の芯厚が一定しており、再研削による刃先再生後も先端形状を一定させて切り屑形状を一定に保つことができ、切削性能が安定する。
【００２８】
上記２つの構成を併用したドリルは、相乗効果を期待でき、切り屑排出性がより良くなり、深穴加工をより安定して行える。
【図面の簡単な説明】
【図１】（ａ）  この発明のドリルの実施形態を示す側面図
（ｂ）  同上のドリルの要部の拡大側面図
【図２】図１のドリルの前部領域Ｉの拡大断面図
【図３】図１のドリルの後部領域ＩＩＩ  の拡大断面図
【図４】他の実施形態の芯厚変化を示す断面図
【図５】図４のドリルの前部領域Ａの拡大断面図
【図６】図４のドリルの後部領域Ｃの拡大断面図
【図７】テスト品の切削抵抗（スラスト力）の測定結果を示す図
【符号の説明】
１、１０  ドリル
２        切れ刃
３        ねじれ溝
Ｉ        前部領域
ＩＩ        溝幅変化部
ＩＩＩ        後部領域
Ａ        前部領域
Ｂ        芯厚変化部
Ｃ        後部領域
Ｗ、Ｗ１  芯厚
Ｄ        ドリル径
【図１】
2004167658.tif 000006
【図２】
2004167658.tif 000007
【図３】
2004167658.tif 000008
【図４】
2004167658.tif 000009
【図５】
2004167658.tif 000010
【図６】
2004167658.tif 000011
【図７】
2004167658.tif 000012